(57)【特許請求の範囲】
【請求項１】
略円形の断面を有する略円筒形のチップ本体；
上記チップ本体の幅方向に延び、その両側に開口して、ワイヤーを移動可能に保持するワイヤー保持室； 
該チップ本体の軸線に対して傾斜した傾斜方向に延びて上記ワイヤー保持室に接続するワイヤー保持スロット；及び
上記チップ本体の最も外側に位置し、上記ワイヤー保持スロットに連続する入口ガイドスロット；
を備え、
上記ワイヤー保持スロットの互いに対向する壁の間の距離は、上記入口ガイドスロットから上記ワイヤー保持室に向かって連続的に小さくなり、かつ該対向する壁の間の最大距離は、上記ワイヤー保持室の最大径より小さいこと；及び
上記ワイヤー保持室は、上記ワイヤー保持スロットとの接続部を含む全てが、滑らかに連続する曲面からなっていること：
を特徴とする器具チップ。
【請求項２】
請求項１記載の器具チップにおいて、上記ワイヤー保持スロットは、その一部に、該ワイヤー保持スロットの残部よりも直径の小さい出口規制部を備えている器具チップ。
【請求項３】
請求項２記載の器具チップにおいて、上記出口規制部の直径はワイヤーの直径と略同一である器具チップ。
【請求項４】
請求項２記載の器具チップにおいて、上記出口規制部は、上記ワイヤー保持室に開口する上記ワイヤー保持スロット内に位置している器具チップ。
【請求項５】
請求項１記載の器具チップにおいて、上記ワイヤー保持スロットは、上記ワイヤー保持室に対して、該ワイヤー保持室に開口する上記ワイヤー保持スロットからチップの高さ方向にオフセットしている器具チップ。
【請求項６】
請求項１記載の器具チップにおいて、上記ワイヤー保持室は、上記ワイヤー保持スロットが上記ワイヤー保持室に開口する場所にバックストップを有し、該バックストップの高さは、ワイヤー保持室の最も大きな直径の少なくとも半分である器具チップ。
【請求項７】
略円形の断面を有する略円筒形のチップ本体；
対向する壁を備え、上記チップ本体の、長手方向に直交する、横方向に延びるワイヤーを受け入れる縫合糸受容スロット；
該縫合糸受容スロットは、上記チップ本体の最も外側から、該チップの長手方向軸に対して傾斜方向に延びていること；及び
上記縫合糸受容スロットの端部に接続する保持室；
を備え、
上記保持室は、上記チップ本体の幅方向に対して直交する方向において、上記縫合糸受容スロットの対向する壁の間の距離よりも大きい直径を持ち、上記縫合糸受容スロットと保持室は上記チップの幅方向に延びていて該チップ本体の両側に開口していること；
上記縫合糸受容スロットの対向する壁の間の距離がチップ本体の最も外側から上記保持室の方向に向かって連続的に小さくなり、該対向する壁の間の最大距離は、上記保持室の最大径より小さいこと；及び
上記保持室は、上記縫合糸受容スロットとの接続部を含む全てが、滑らかに連続する曲面からなっていること：
を特徴とする器具チップ。
【請求項８】
請求項７記載の器具チップにおいて、上記保持室は、略楕円形状である器具チップ。
【請求項９】
請求項７記載の器具チップにおいて、上記チップの近位端部は器具のシャフトに着脱可能であるチップ。
【請求項１０】
請求項９記載の器具チップにおいて、上記チップの近位端部は、器具のシャフトに着脱可能にねじ結合されている器具チップ。
【請求項１１】
請求項７記載の器具チップにおいて、上記縫合糸受容スロットは上記チップの最も外側から上記チップの遠位端に延びている器具チップ。
【請求項１２】
シャフト；及び
上記シャフトの遠位端に装着されたチップであって、該チップの、長手方向に直交する、幅方向に延びるワイヤーを受容するためのチップスロット；
を有し、
上記チップスロットは、
上記チップの最も外側から内側へ向かって放射状に延びるワイヤー保持スロット；及び
上記ワイヤー保持スロットの底部に位置し、ワイヤーを移動可能に保持するワイヤー保持室；
を有し、
上記ワイヤー保持スロットの互いに対向する壁の間の距離は、上記チップの最も外側から該ワイヤー保持室に向かうに従い連続的に小さくなり、該対向する壁の間の最大距離は、上記ワイヤー保持室の最大径より小さいこと；及び
上記ワイヤー保持室は、上記ワイヤー保持スロットとの接続部を含む全てが、滑らかに連続する曲面からなっていること：
を特徴とするワイヤー配置器具。
【請求項１３】
請求項１２記載のワイヤー配置器具において、上記ワイヤー保持スロットは、上記チップの長手方向軸に対して傾斜した方向に延びているワイヤー配置器具。
【請求項１４】
請求項１３記載のワイヤー配置器具において、上記ワイヤー保持スロットは遠位方向に向かって、上記チップの長手方向軸に対して、傾斜して延びているワイヤー配置器具。
【請求項１５】
請求項１２記載のワイヤー配置器具において、上記チップは前記シャフトの遠位端に着脱可能に装着されているワイヤー配置器具。
【請求項１６】
請求項１５記載のワイヤー配置器具において、上記チップは前記シャフトの遠位端に着脱可能にねじ結合されているワイヤー配置器具。
【請求項１７】
請求項１２記載のワイヤー配置器具において、上記ワイヤー保持スロットは、その一部に、該ワイヤー保持スロットの残部よりも直径の小さい出口規制部を備えているワイヤー配置器具。
【請求項１８】
請求項１２記載のワイヤー配置器具において、上記ワイヤー保持室は、上記ワイヤー保持スロットが上記ワイヤー保持室に開口する場所にバックストップを有し、該バックストップの高さは、ワイヤー保持室の最も大きな直径の少なくとも半分であるワイヤー配置器具。
【発明の詳細な説明】
【技術分野】
【０００１】
本発明は、ワイヤー保持スロットを有する医療器具チップに関するもので、特にワイヤーの不注意な移動を防ぐ拡大したワイヤー保持室を備えた器具チップに関する。
【背景技術】
【０００２】
腹腔鏡検査などのような医療処置では、患者の体腔内に挿入するためにチューブの先端にチップを使用すると、必要な切開を最小限とすることができ、安価でより早い回復を望むことができるため有益である。例えば、比較的大きな切開（回復に１か月程度を要するような）を必要とする侵襲的処置と対照的に、腹腔鏡手術を受ける患者は一般的に、２，３日から１週間の内に、通常の活動に戻ることができる可能性がある。以下「腹腔鏡下である」という語が使われるが、「腹腔鏡下である」という語は、例えば、比較的小さな切開で済む、経腔的内視鏡下手術（Natural Orifice Transluminal Endoscopic Surgery (NOTES)）、関節鏡、内視鏡、骨盤スコープ及び／又は胸腔鏡またはこれらに類似し関連した処置を含むものである。
【０００３】
胃バイパス手術は、比較的一般的に行われるようになっている。図１、図２は従来の胃バイパス・バンド装置等に適用されるチップ３１０（以下、チップ３１０）を示すもので、胃バイパス手術の間、シャフト１２に結合されたチップ３１０を有する腹腔鏡器具３８０は、外科医が胃バイパス・バンド（図示せず）を設置し、確保し、締めるのを助けるのに用いられる。端部にループを有する縫合糸５０を備えたバンドは、ループを受け入れるスロット３３０を持ち、外科医がバンドの位置を定めるチップを必要とする。胃バイパス・バンド装置等に適用される従来のチップには、手術の締め付けステージにおいて、ループが不用意にスリップするのを防ぐ術がない。
【０００４】
上述の従来のチップ３１０は、スロットの壁の間の直径が一定の直線状のスロットを持ち、該チップに縫合糸５０を係合させた後、スロット壁の間に縫合ループを保持する術がない。むしろ、一旦縫合糸５０がチップ３１０に係合され、捕えられたならば、外科医または他のユーザーは、スロット３３０の底で縫合糸を保つために近位方向への牽引力（それによって縫合ループに緊張を引き起こす）を与えなければならない。ユーザーが器具３８０を引っ張ることをやめる、あるいは、ユーザーが不注意に遠位方向に器具を押した場合、縫合糸５０がチップ３１０から外れるおそれがある。そして、外科医が縫合糸を再び係合させようとすることで、手術時間を延ばし、患者の合併症を引き起こす危険がある。
【発明の概要】
【発明が解決しようとする課題】
【０００５】
本発明は、外科医がバンドを正しい位置に配置してぴんと張ることができるように、胃バイパス・バンド装置の縫合ループのような縫合糸を保持することができるチップを提供する。そして、本発明によれば、縫合糸（他の糸またはワイヤーを含む）を同縫合糸にかかる圧力または他の力の有無にかかわらずチップによって確実に保持することができる。これにより、バンドを目的とする場所に位置させている間、使用者は縫合糸を自由に移動させることができる。
【課題を解決するための手段】
【０００６】
本発明による器具チップは、  チップの幅方向に延び、その両側に開口して、ワイヤーを移動可能に保持するワイヤー保持室；及び、上記チップの最も外側から、該チップの軸線に対して傾斜した傾斜方向に延びて上記ワイヤー保持室に接続するワイヤー保持スロット、を備え、このワイヤー保持スロットは、上記ワイヤー保持室の直径よりも小さい直径であることを特徴とする。
【０００７】
本発明による器具チップは、その一実施形態では、器具チップの上記ワイヤー保持スロットが、その一部に、該ワイヤー保持スロットよりも直径の小さい出口規制部を備えている。また、上記出口規制部の直径はワイヤーの直径と略同一であっても良い。さらに、上記出口規制部は、上記ワイヤー保持室に開口する上記ワイヤー保持スロット内に位置させることが好ましい。
【０００８】
上記の実施形態では、上記ワイヤー保持スロットは、上記ワイヤー保持室に対して、該ワイヤー保持室に開口する上記ワイヤー保持スロットからチップの高さ方向にオフセットさせることができる。また、上記ワイヤー保持スロットはワイヤー保持室に向かって直径を減少させていてもよい。さらに、上記ワイヤー保持室は、上記ワイヤー保持スロットが上記ワイヤー保持室に開口する場所にバックストップを有し、該バックストップの高さは、ワイヤー保持室の最も大きな直径の少なくとも半分とすることができる。
【０００９】
本発明の器具チップは、別の態様では、対向する壁を備え、チップの、長手方向に直交する、横方向に延びるワイヤーを受け入れる縫合糸受容スロット；
該縫合糸受容スロットは、上記チップの最も外側から、該チップの長手方向軸に対して傾斜方向に延びていること；縫合糸受容スロットの端部に接続する保持室；及び、上記保持室は、上記チップの幅方向に対して直交する方向において、上記縫合糸受容スロットの対向する壁の距離よりも大きい直径を持ち、上記縫合糸受容スロットと保持室は上記チップの幅方向に延びていて該チップの両側に開口していることを特徴とする。
【００１０】
本発明のさらなる特徴は、器具チップの上記保持室を略楕円形状としている点である。また、上記チップの近位端部は器具のシャフトに着脱可能であり、上記チップの近位端部は、器具のシャフトに着脱可能にねじ結合されている。さらに、上記縫合糸受容スロットは上記チップの最も外側から上記チップの遠位端に延びている。
【００１１】
本発明は、ワイヤー配置器具の態様では、シャフト；及び、上記シャフトの遠位端に装着されたチップであって、該チップの、長手方向に直交する、幅方向に延びるワイヤーを受容するためのチップスロット；を有し、上記チップスロットは、上記チップの最も外側から内側に向かって放射状に延びるワイヤー保持スロット；及び、上記ワイヤー保持スロットの底部に位置し、上記ワイヤー保持スロットの直径よりも大きな直径を持つ、移動可能なワイヤーを保持するワイヤー保持室、を有することを特徴とする。
【００１２】
本発明のワイヤー配置器具の上記ワイヤー保持スロットは、好ましくは、上記チップの長手方向軸に対して傾斜した方向に延びており、また、上記ワイヤー保持スロットは遠位方向に傾斜して延びている。さらに、上記ワイヤー保持スロットが、その一部に、該ワイヤー保持スロットよりも直径の小さい出口規制部を備えると好ましい。
【００１３】
さらに、本発明のワイヤー配置器具の上記チップは上記シャフトの遠位端に着脱可能に装着されており、また、上記チップは上記シャフトの遠位端に着脱可能にねじ結合されていると好ましい。
【００１４】
また、上記ワイヤー保持室が、上記ワイヤー保持スロットが上記ワイヤー保持室に開口する場所にバックストップを有し、該バックストップの高さを、ワイヤー保持室の最も大きな直径の少なくとも半分とすると好ましい。
【００１５】
本発明は、ワイヤー配置器具の操作方法の態様では、該ワイヤー配置器具のワイヤー保持スロット内にワイヤーを受け入れるステップ；上記ワイヤーをチップの最も外側から上記ワイヤー保持スロットの底部にあるワイヤー保持室へ径方向内方に移動させるステップ；及び、上記ワイヤー保持スロットの直径よりも大きな直径を持つワイヤー保持室によってワイヤーを保持するステップ；を有することを特徴とする。
【００１６】
本発明の他の典型的な実施例と特徴は本明細書と添付の図面を再検討することによって確かめることができる。そして、上記の説明は本発明を限定するために考慮されてはならない。
【発明の効果】
【００１７】
本発明によれば、胃バイパス・バンド装置の縫合ループのような縫合糸（他の糸またはワイヤーを含む）をチップによって確実に保持することができる。
【図面の簡単な説明】
【００１８】
本発明は以下の好ましい図示実施形態によってさらに詳細に説明される。説明において、同じ符号は同じ構成要素を示している。
【図１】従来の医療器具チップを示す図である。
【図２】従来の医療器具チップに縫合糸を把持した状態を示す図である。
【図３】本発明による医療器具チップの一実施形態を示す図である。
【図４】本発明による医療器具チップに縫合糸を把持した状態を示す図である。
【発明を実施するための形態】
【００１９】
ここに示される事項は、一例であって、また、本発明の実施形態の例示の議論のみを目的とするもので、本発明の原理及び概念を最も有用で容易に理解できるように示されている。この点に関し、本発明の構造の詳細については本発明の基本的な理解のために必要とされる以上には示していないが、当業者であれば、明細書及び図面から、本発明のいくつかの実施形態がどのようであるか明らかであり、実際に具体化することができる。
【００２０】
図３及び図４は、本発明の一実施形態としての器具チップ１０（以下、チップ１０）を示している。チップ１０は金属で作ることが望ましいが、当業者は、他のどのような材料でも作ることができることを理解する。チップ１０は、腹腔鏡器具３８０のシャフト１２への着脱が可能であることが望ましい。また、チップ１０はその近位端の中心部（図３のZ方向）にあるバックハブ１６のねじ１４を介してシャフト１２に着脱可能とすることが望ましい。当業者は、他の機構によってチップをシャフトに着脱可能とすること、あるいは、チップをシャフトと一体にしてもよいことを理解する。チップを着脱することができる典型的なシャフト１２は米国特許出願番号第１２/８５０,９０５号に開示されており、その内容は本明細書に参照として引用されている。チップ１０の遠位端は、本実施形態では、患者の体腔内に挿入やすくするために、丸くなっている。
【００２１】
チップ１０は、外科医がバンドを正しく位置させて引っ張ることができるように、縫合ループのような縫合糸５０を受け入れて保持するものである。本実施形態は、医療処置に関する事項を含んでいるが、医療分野に限らず、縫合や結合が必要な場合、ワイヤー、ひも、ロープ、ベルト、ホースやその他細くて柔軟な材質では遠く、及び/又は届くことが困難な場所、例えばクマのぬいぐるみの襟を縫うときやイルミネーションを飾るときなどに本発明を用いることができる。本実施形態では、チップは大略円筒形状をなしていて、一般に断面円形（図３のX-Z方向の面）であり、類似した横断面のシャフトに着脱される。しかし、当業者はチップを他の適当な形状とすることができることを理解する。
【００２２】
チップ１０は、縫合糸を受け入れるためのスロット３０を備えている（縫合糸はチップのボディ内に組み込むことも可能である）。このスロット３０は、チップ１０のその径方向全幅（図３のX方向）に延びていて、同チップの両側面に開口している。スロット３０は、主に２つのセクション、すなわち、ワイヤー保持スロット３２とワイヤー保持室３４に分割されている。ワイヤー保持スロット３２は、チップの最も外側（径方向の最外側表面）に、縫合糸５０が該ワイヤー保持スロットに入り込む（導く）入口ガイドスロット３６を備えている。ワイヤー保持スロット３２は、ワイヤー保持室３４まで延び、同保持室３４に開口している。本実施形態では、ワイヤー保持スロット３２は湾曲形状に形成されていて、同ワイヤー保持スロット３２の対向する壁の間の距離（すなわち、直径）は、ワイヤー保持室３４の方へ向かって徐々に短く（細く）なっていく。ワイヤー保持スロット３２は、ワイヤー保持室３４に向かって遠位側へ延びており、チップ１０の軸線方向に対して傾斜した方向（図３のY方向に対して傾斜した方向）に延びている。この傾斜方向は、胃バイパス手術を行うときに好ましい構成である。しかし、当業者は、ワイヤー保持スロット３２は、ワイヤー保持室３４に向かって近位側に延びる（すなわち、ワイヤー保持室３４が入口ガイドスロット３６の近位側に存在する（図３のY方向））ように、ワイヤー保持スロット３２が近位側に延びていてもよく、あるいは、チップ１０の放射中心の方向（すなわち、図３のZ方向）へ、ワイヤー保持スロット３２が放射状に延びていてもよいことを理解する。
【００２３】
本実施形態では、ワイヤー保持スロット３２の対向した壁の間で最も狭いスペースは出口規制部３８を構成し、この出口規制部３８は、ワイヤー保持スロット３２がワイヤー保持室３４と接続する部分（すなわち、チップの図３のZ方向の外側から最も遠い部分に位置するワイヤー保持スロットの部分）に位置している。しかし、当業者は、出口規制部３８がワイヤー保持スロット３２に沿ってどこか他の部分に設けてもよいことを理解する。本実施形態では、出口規制部３８は、ワイヤー保持室３４からの縫合糸がずれることを防ぐために、概ねまたは正確に、用いられるワイヤーまたは縫合糸５０と同じサイズである。使われる縫合糸の種類は２-０の糸が望ましいが、当業者は、他のサイズのバンド、ひも、ワイヤーなどを代わりに用いることができることを理解する。さらに本実施形態では、チップ１０の直径とシャフト１２（図３のX-Z方向の面で最も幅広の点）は５ミリメートルであるが、当業者は、チップ１０が５ミリメートルより大きく、または小さくてもよいことを理解する。出口規制部３８は、チップの全ての幅（図３のX方向）に連続的に延びている必要はなく（たとえば、出口規制部３８が１つ以上のボスを含んでいてもよい）、一方、出口規制部３８が縫合糸５０を切断することがないように、先鋭にしないことが好ましい。
【００２４】
ワイヤー保持室３４は特定な形状である必要はなく、その直径（図３のX-Z方向面における）がワイヤー保持スロット３２の対向する壁の距離よりも大きく、縫合糸５０がワイヤー保持室の中で「浮く」ことができればよい。しかし、本実施形態では、縫合糸５０がワイヤー保持室３４からワイヤー保持スロット３２に不用意に移動することがないように、ワイヤー保持室３４はワイヤー保持スロット３２に向けて先細りになるようには形成されていない。このように、ワイヤー保持室３４の形状（図３のY-Z面における）は、楕円形、多角形、砂時計型、インゲンマメ型や他のどのような形とすることができる。また、本実施形態では、ワイヤー保持室３４（及びワイヤー保持スロット３２も）の形状は、チップ（図３のX方向）の幅方向に、一様にかつプリズム状に延びている。別言すると、スロット３０の寸法はチップの幅方向（図３のX方向）に沿って均一である。しかし、図３に示すように、曲がったワイヤーまたは縫合糸５０に対応させてこれを収納するように、ワイヤー保持室３４は弧状（図３のX-Y面における）とすることができる。
【００２５】
本実施形態では、ワイヤー保持室３４がワイヤー保持スロット３２と接続する部分は、ワイヤー保持室３４の中心からオフセットして、壁状のバックストップ４０を構成している。バックストップ４０は、Z方向の高さが、ワイヤー保持室３４のZ方向の直径より大きいことが望ましい。バックストップ４０は、縫合糸５０を係合させ、かつワイヤー保持スロット３２に戻るのを防ぐために機能すれば、曲線状でも平面状でもよい。本実施形態では、ワイヤー保持室３４内を縫合糸５０が移動する間、バックストップ４０を含むワイヤー保持室の入り組んだ空間のために、縫合糸５０はワイヤー保持スロット３２に入ることなく、ワイヤー保持室３４の一方の壁と接触するであろう。ワイヤー保持室３４内の縫合糸５０が、何らかの理由でワイヤー保持スロット３２に入っても、出口規制部３８により、縫合糸５０がスロット３０から出るのを防止する。このように、近位方向への牽引力がないときにも、縫合糸５０はチップ１０の中に確実に保持される。
【００２６】
縫合糸５０をチップ１０に取り込む方法及び取り外す方法を以下に説明する。縫合糸５０を取り込むために、外科医は、（器具１２に固定されている）チップ１０を、縫合糸５０に対して、まず遠位方向に移動させ、（または、縫合糸５０がループをなしている場合には、そのループ内にチップ１０を移動させ）、縫合糸５０を入口ガイドスロット３６の位置へ移動させる。一旦縫合糸５０が入口ガイドスロット３６に入ったら、外科医はワイヤー保持スロット３２の中で縫合糸５０が移動するように、縫合糸５０を保持したままのワイヤー保持室３４に縫合糸５０が全て入るまでチップ１０を近位方向に牽引する（すなわち、チップ１０は、縫合糸５０をワイヤー保持スロット３２内に維持しつつ牽引される）。一方、縫合糸５０からチップ１０を外すには、外科医は縫合糸５０がワイヤー保持室３４を出て、ワイヤー保持スロット３２に入り、出口規制部３８に移動するほどの十分な力で、チップ１０を遠位方向に動かす。一旦縫合糸５０が出口規制部３８を通過したら、外科医は縫合糸がワイヤー保持スロット３２を通るように、縫合糸が入口ガイドスロット３６を通ってチップから出るまで該チップ１０を遠位方向に押し続ける。
【００２７】
本明細書による開示は、その様々な態様、実施形態及び／又は特定の特徴の１つ以上あるいは附属要素によって、１つ以上の利点を示すことを意図したものである。
【００２８】
ここに記載した実施形態の図面は、様々な実施形態の構造の一般的な理解のために提供することを意図したものである。これらの図面は、全ての要素、装置の特徴及びここに記載した製法や構造を利用するシステムの完全な説明を提供することは意図していない。当業者は本明細書を検討することで、他の多くの実施形態が明らかであろう。他の実施形態は、本明細書の開示範囲から逸脱しない範囲で構造的及び論理的な置換及び変更がなされ、本明細書から導出されて利用されてもよい。また図面は、単に表象であり、原寸に比例していない。図面中、他の部分が最小限に抑えられる一方で、特定部分が誇張されていてもよい。したがって、明細書及び図面は、むしろ、限定的というのではなく、例示的とみなされる。
【００２９】
ここで、記載した１またはそれ以上の実施形態を、個別及び／又は集合的に、他の特定発明や発明概念に本出願の範囲を自発的に限定することを意図せず、単に利便性のために「発明」という用語を用いて呼ぶ。また、ここでは特定の実施形態について図示及び説明してきたが、図示実施形態に替えて、同一または類似の目的を達成するためのアレンジを施してもよいのは明らかである。この開示は、任意及び全ての後続の適応や様々な実施形態の変形をカバーすることを意図している。上記実施形態の結合は、他の実施形態はここで特別には記載していないが、本明細書の記載を再検討すれば当業者には明らかであろう。
【００３０】
特に定められない限り、本明細書の全ての技術的、科学的専門用語は当業者が一般に理解するものと同じ意味を持つ。本明細書の説明で使われる用語は、特定の実施形態だけを記述するためにあって、この発明で限定することを意図しない。本明細書と特許請求の範囲で用いられている言葉は、前後関係で明らかでない限り、単数形である「a」「an」、そして「the」は複数形も含むことを意図する。ここに記載の全ての出版物、特許出願、他の引用は、参照として明示されている。
【００３１】
特に明記しない限り、明細書とクレームにおいて、多量の成分を表している数などは全て「約」という言葉に変換されている。ここで用いられている「一般的に」はバリエーションに考慮して、発明が有効である間、「近似するもの」として理解するものとする。したがって、特に明記しない限り、数的・幾何学的な要因と関係は以下で詳述することとし、添付されているクレームは本発明で得ることが望まれる特性次第で異なってくることが考えられるものである。少なくとも、かつ請求の範囲への均等論の適用を制限する意図ではなく、各数値及び幾何学的なパラメーター並びにそれらの関係は、所定の桁数迄及び四捨五入を考慮して解釈されなければならない。
【００３２】
発明の要約は、特許請求の範囲または意味を解釈又は限定しないと理解した上で提出されている。さらに、前述の詳細な説明では、開示の合理化をはかるため、様々な機能を一緒にグループ化しあるいは一つの実施形態の中で記載してある。本開示は、クレーム化された実施形態は各請求項に明示的に記載されたよりも多くの機能が要求されるという意図を反映するように解釈されていない。むしろ、前述の請求項を反映させると、本発明の主題は、記載したどの実施形態の機能の全てよりも少なくなるように向けられている。よって、クレーム事項を別々に定義したように各クレームが自立していることで、前述のクレームは詳細な説明に組み込まれている。
【００３３】
上記記載した事項は例示であって限定ではなく、特許請求の範囲は、そのような修正、機能強化及び本発明の範囲及び趣旨を逸脱しない範囲に収まる他の実施形態の全てをカバーするよう意図している。だから、法律で許容される最大範囲で、本開示の範囲は、以下の特許請求の範囲及びその均等物の広範な許容解釈によって決定されるべきであり、そして上記の詳細な説明によって制限または限定されない。
【符号の説明】
【００３４】
１０  チップ
３２  ワイヤー保持スロット
３４  ワイヤー保持部屋
５０  ワイヤー
【図１】
0005766170.tif 000002
【図２】
0005766170.tif 000003
【図３】
0005766170.tif 000004
【図４】
0005766170.tif 000005